(57)【要約】【課題】本発明は支持機能を有するスマホケースを開示した。【解決手段】スマホケースを含み、前記スマホケースの中には緩衝機構が設置されており、前記緩衝機構は台形ブロックと、短い溝と、中空ブロックと、スマホ溝と三本の圧縮された緩衝撥条を含み、前記スマホ溝の上端壁が外部に連通し、前記スマホ溝にスマホを置け、前記台形ブロックが前記短い溝に阻まれ、前記スマホ溝の下端壁の中には下端壁が外部に連通する活動溝が設置されており、前記活動溝の中には支持機構がスライドできるように設置されており、本装置は結構が簡単で、操作が便利で、自由に放置角度を調節でき、且つ支持するところは安定な感覚結構であり、破壊されにくく、それに大きい力を受ける時、緩衝の撥条を飛び出させ、自身には一定な保護作用がある。【選択図】図１
2020178329.tif 000002
【特許請求の範囲】
【請求項１】
支持機能を有するスマホケースであって、スマホケースを含み、前記スマホケースの中には緩衝機構が設置されており、前記緩衝機構は台形ブロックと、短い溝と、中空ブロックと、スマホ溝と三本の圧縮された緩衝撥条を含み、前記スマホ溝の上端壁が外部に連通し、前記スマホ溝にスマホを置け、前記台形ブロックが前記短い溝に阻まれ、前記スマホ溝の下端壁の中には下端壁が外部に連通する活動溝が設置されており、前記活動溝の中には支持機構がスライドできるように設置されており、前記支持機構は短いボードと、長いボードと、係止溝と、フックと、細い棒と、制限溝と、三角ブロックと移動ブロックを含み、前記細い棒によって前記移動ブロックを上へ推して移動させることができ、それにより前記三角ブロックが前記制限溝に移動する時に前記制限溝の中に入れ、前記フックを回して前記係止溝に掛けられ、それにより前記短いボードと前記長いボードとの相対位置を維持させ、前記長いボードは前記三角ブロックが最上側の制限溝から離脱するまで右へ運動し、前記長いボードによって前記台形ブロックを前記短い溝から推し出すことができ、前記緩衝撥条を復帰させ、前記中空ブロックを外部に運動連動させ、前記支持機構が前記活動溝の中でスライドすることによって前記スマホケースの角度を変化させることができ、前記活動溝の中には前記短いボードと前記長いボードを復帰させる位置制限撥条が設置されていることを特徴とする支持機能を有するスマホケース。
【請求項２】
前記緩衝機構は中空ブロックを含み、前記スマホケースの下端面には緩衝溝が設置されており、前記緩衝溝の左端壁の中には活動溝が設置されており、前記活動溝と前記緩衝溝とが前記短い溝によって連通され、前記緩衝溝の中には中空ブロックがスライドできるように設置されており、前記中空ブロックの上端面には撥条溝が設置されており、前記撥条溝の下端壁には前記緩衝溝の上端壁と固定される三つの緩衝撥条が均一に固定され、前記中空ブロックの左端面には圧力溝が設置されており、前記圧力溝の右端壁には圧力撥条が固定され、前記圧力撥条の左端には左端が前記短い溝の中に位置する台形ブロックが固定され、それに、前記台形ブロックが前記短い溝から離脱する時、前記緩衝撥条が復帰して前記中空ブロックを推し出すことを特徴とする請求項１に記載の支持機能を有するスマホケース。
【請求項３】
前記支持機構は長いボードを含み、前記活動溝の上端壁には五つの前記制限溝が均一に設置されており、前記活動溝の中には活動ブロックがスライドできるように設置されており、前記活動ブロックの上端面には斜槽が設置されており、前記斜槽の左端壁には移動溝が設置されており、前記斜槽の右端壁と活動溝とが貫通溝を通じて連通し、前記移動溝の中には移動ブロックがスライドできるように設置されており、前記移動ブロックの上端には上端が前記移動溝の上端壁と固定的に連結される移動撥条が固定され、前記移動ブロックの右端面には右端が前記斜槽の中に位置する移動棒が固定され、前記移動棒の右端には移動ブロックが固定され、前記移動ブロックの上端面には弾性溝が設置されており、前記弾性溝の下端壁には弾性撥条が固定され、前記弾性撥条の上端には三角ブロックが固定され、前記活動ブロックの下端面には円柱棒が固定され、
前記円柱棒には環状ブロックが回転できるように設置されており、前記環状ブロックの下端には下端が外部に位置する短いボードが固定され、前記短いボードの上端面には係止ブロックが固定され、前記係止ブロックの中には係止溝が設置されており、前記短いボードの中には連動溝が設置されており、前記活動ブロックの上側には前記活動溝とスライドできるように連結される方形ブロックが設置されており、前記方形ブロックの左端面と前記活動ブロックの右端面とが位置制限撥条によって固定的に連結されており、前記方形ブロックの右端面には支持棒が固定され、前記支持棒には弓形ブロックが回転できるように設置されており、前記弓形ブロックの下端には下端が外部に位置する長いボードが固定され、前記長いボードの上端面には収納溝が設置されており、前記収納溝の後端壁には回転軸が回転できるように設置されており、前記回転軸には回転棒が固定され、前記回転棒の上端にはフックが固定され、それに、前記細い棒が左へ運動する時前記移動ブロックを上昇させることができることを特徴とする請求項１に記載の支持機能を有するスマホケース。
【発明の詳細な説明】
【技術分野】
【０００１】
本発明はスマホアクセサリ分野を取り上げて、具体的には支持機能を有するスマホケースである。
【背景技術】
【０００２】
スマホケースはスマートフォンの端末に装着するケースであり、主な作用としては保護と飾り、支持功能を持つスマホケースもあるものの、ほとんどは一本の支持棒しか頼らず、それに支持棒が大きい力を受けると損害されやすい。
【先行技術文献】
【特許文献】
【０００３】
【特許文献１】中国特許出願公開第１０７６８２５０２号明細書
【発明の概要】
【発明が解決しようとする課題】
【０００４】
本発明の目的は支持機能を有するスマホケースを提供し、上記背景技術に提出される問題を解決する。
【課題を解決するための手段】
【０００５】
支持機能を有するスマホケースは、スマホケースを含み、前記スマホケースの中には緩衝機構が設置されており、前記緩衝機構は台形ブロックと、短い溝と、中空ブロックと、スマホ溝と三本の圧縮された緩衝撥条を含み、前記スマホ溝の上端壁が外部に連通し、前記スマホ溝にスマホを置け、前記台形ブロックが前記短い溝に阻まれ、前記スマホ溝の下端壁の中には下端壁が外部に連通する活動溝が設置されており、前記活動溝の中には支持機構がスライドできるように設置されており、前記支持機構は短いボードと、長いボードと、係止溝と、フックと、細い棒と、制限溝と、三角ブロックと移動ブロックを含み、前記細い棒によって前記移動ブロックを上へ推して移動させることができ、それにより前記三角ブロックが前記制限溝に移動する時に前記制限溝の中に入れ、前記フックを回して前記係止溝に掛けられ、それにより前記短いボードと前記長いボードとの相対位置を維持させ、前記長いボードは前記三角ブロックが最上側の制限溝から離脱するまで右へ運動し、前記長いボードによって前記台形ブロックを前記短い溝から推し出すことができ、前記緩衝撥条を復帰させ、前記中空ブロックを外部に運動連動させ、前記支持機構が前記活動溝の中でスライドすることによって前記スマホケースの角度を変化させることができ、前記活動溝の中には前記短いボードと前記長いボードを復帰させる位置制限撥条が設置されている。
【０００６】
更なる技術方案、前記緩衝機構は中空ブロックを含み、前記スマホケースの下端面には緩衝溝が設置されており、前記緩衝溝の左端壁の中には活動溝が設置されており、前記活動溝と前記緩衝溝とが前記短い溝によって連通され、前記緩衝溝の中には中空ブロックがスライドできるように設置されており、前記中空ブロックの上端面には撥条溝が設置されており、前記撥条溝の下端壁には前記緩衝溝の上端壁と固定される三つの緩衝撥条が均一に固定され、前記中空ブロックの左端面には圧力溝が設置されており、前記圧力溝の右端壁には圧力撥条が固定され、前記圧力撥条の左端には左端が前記短い溝の中に位置する台形ブロックが固定され、それに、前記台形ブロックが前記短い溝から離脱する時、前記緩衝撥条が復帰して前記中空ブロックを推し出す。
【０００７】
更なる技術方案、前記支持機構は長いボードを含み、前記活動溝の上端壁には五つの前記制限溝が均一に設置されており、前記活動溝の中には活動ブロックがスライドできるように設置されており、前記活動ブロックの上端面には斜槽が設置されており、前記斜槽の左端壁には移動溝が設置されており、前記斜槽の右端壁と活動溝とが貫通溝を通じて連通し、前記移動溝の中には移動ブロックがスライドできるように設置されており、前記移動ブロックの上端には上端が前記移動溝の上端壁と固定的に連結される移動撥条が固定され、前記移動ブロックの右端面には右端が前記斜槽の中に位置する移動棒が固定され、前記移動棒の右端には移動ブロックが固定され、前記移動ブロックの上端面には弾性溝が設置されており、前記弾性溝の下端壁には弾性撥条が固定され、前記弾性撥条の上端には三角ブロックが固定され、前記活動ブロックの下端面には円柱棒が固定される。
【０００８】
前記円柱棒には環状ブロックが回転できるように設置されており、前記環状ブロックの下端には下端が外部に位置する短いボードが固定され、前記短いボードの上端面には係止ブロックが固定され、前記係止ブロックの中には係止溝が設置されており、前記短いボードの中には連動溝が設置されており、前記活動ブロックの上側には前記活動溝とスライドできるように連結される方形ブロックが設置されており、前記方形ブロックの左端面と前記活動ブロックの右端面とが位置制限撥条によって固定的に連結されており、前記方形ブロックの右端面には支持棒が固定され、前記支持棒には弓形ブロックが回転できるように設置されており、前記弓形ブロックの下端には下端が外部に位置する長いボードが固定され、前記長いボードの上端面には収納溝が設置されており、前記収納溝の後端壁には回転軸が回転できるように設置されており、前記回転軸には回転棒が固定され、前記回転棒の上端にはフックが固定され、それに、前記細い棒が左へ運動する時前記移動ブロックを上昇させることができる。
【発明の効果】
【０００９】
本発明の有益な効果は下記の通りである：
【００１０】
本装置は結構が簡単で、操作が便利で、自由に放置角度を調節でき、且つ支持するところは安定な感覚結構であり、破壊されにくく、それに大きい力を受ける時、緩衝の撥条を飛び出させ、自身には一定な保護作用がある。
【図面の簡単な説明】
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【図１】図１は本発明の支持機能を有するスマホケースの全体断面の正面構成模式図
【図２】図２は本発明の支持機能を有するスマホケースの活動ブロックの拡大構成模式図
【図３】図３は本発明の支持機能を有するスマホケースの回転棒の拡大構成模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−３を参考して、本発明が提供する実施例は：支持機能を有するスマホケースは、スマホケース１０を含み、前記スマホケース１０の中には緩衝機構６１が設置されており、前記緩衝機構６１は台形ブロック２６と、短い溝２５と、中空ブロック３０と、スマホ溝３４と三本の圧縮された緩衝撥条３１を含み、前記スマホ溝３４の上端壁が外部に連通し、前記スマホ溝３４にスマホを置け、前記台形ブロック２６が前記短い溝２５に阻まれ、前記スマホ溝３４の下端壁の中には下端壁が外部に連通する活動溝１１が設置されており、前記活動溝１１の中には支持機構６０がスライドできるように設置されており、前記支持機構６０は短いボード１３と、長いボードと、係止溝１４と、フック５０と、細い棒２０と、制限溝３３と、三角ブロック４５と移動ブロック４３を含み、前記細い棒２０によって前記移動ブロック４３を上へ推して移動させることができ、それにより前記三角ブロック４５が前記制限溝３３に移動する時に前記制限溝３３の中に入れ、前記フック５０を回して前記係止溝１４に掛けられ、それにより前記短いボード１３と前記長いボード１８との相対位置を維持させ、前記長いボード１８は前記三角ブロック４５が最上側の制限溝３３から離脱するまで右へ運動し、前記長いボード１８によって前記台形ブロック２６を前記短い溝２５から推し出すことができ、前記緩衝撥条３１を復帰させ、前記中空ブロック３０を外部に運動連動させ、前記支持機構６０が前記活動溝１１の中でスライドすることによって前記スマホケース１０の角度を変化させることができ、前記活動溝１１の中には前記短いボード１３と前記長いボード１８を復帰させる位置制限撥条５２が設置されている。
【００１４】
有益なように、前記緩衝機構６１は中空ブロック３０を含み、前記スマホケース１０の下端面には緩衝溝３２が設置されており、前記緩衝溝３２の左端壁の中には活動溝１１が設置されており、前記活動溝１１と前記緩衝溝３２とが前記短い溝２５によって連通され、前記緩衝溝３２の中には中空ブロック３０がスライドできるように設置されており、前記中空ブロック３０の上端面には撥条溝２９が設置されており、前記撥条溝２９の下端壁には前記緩衝溝３２の上端壁と固定される三つの緩衝撥条３１が均一に固定され、前記中空ブロック３０の左端面には圧力溝２７が設置されており、前記圧力溝２７の右端壁には圧力撥条２８が固定され、前記圧力撥条２８の左端には左端が前記短い溝２５の中に位置する台形ブロック２６が固定され、それに、前記台形ブロック２６が前記短い溝２５から離脱する時、前記緩衝撥条３１が復帰して前記中空ブロック３０を推し出す。
【００１５】
有益なように、前記支持機構６０は長いボード１８を含み、前記活動溝１１の上端壁には五つの前記制限溝３３が均一に設置されており、前記活動溝１１の中には活動ブロック１２がスライドできるように設置されており、前記活動ブロック１２の上端面には斜槽４１が設置されており、前記斜槽４１の左端壁には移動溝４０が設置されており、前記斜槽４１の右端壁と活動溝１１とが貫通溝４２を通じて連通し、前記移動溝４０の中には移動ブロック３６がスライドできるように設置されており、前記移動ブロック３６の上端には上端が前記移動溝４０の上端壁と固定的に連結される移動撥条３５が固定され、前記移動ブロック３６の右端面には右端が前記斜槽４１の中に位置する移動棒４７が固定され、前記移動棒４７の右端には移動ブロック４３が固定され、前記移動ブロック４３の上端面には弾性溝４６が設置されており、前記弾性溝４６の下端壁には弾性撥条４４が固定され、前記弾性撥条４４の上端には三角ブロック４５が固定され、前記活動ブロック１２の下端面には円柱棒３９が固定される。
【００１６】
前記円柱棒３９には環状ブロック３７が回転できるように設置されており、前記環状ブロック３７の下端には下端が外部に位置する短いボード１３が固定され、前記短いボード１３の上端面には係止ブロック１５が固定され、前記係止ブロック１５の中には係止溝１４が設置されており、前記短いボード１３の中には連動溝１６が設置されており、前記活動ブロック１２の上側には前記活動溝１１とスライドできるように連結される方形ブロック２１が設置されており、前記方形ブロック２１の左端面と前記活動ブロック１２の右端面とが位置制限撥条５２によって固定的に連結されており、前記方形ブロック２１の右端面には支持棒２２が固定され、前記支持棒２２には弓形ブロック２４が回転できるように設置されており、前記弓形ブロック２４の下端には下端が外部に位置する長いボード１８が固定され、前記長いボード１８の上端面には収納溝５１が設置されており、前記収納溝５１の後端壁には回転軸４８が回転できるように設置されており、前記回転軸４８には回転棒１９が固定され、前記回転棒１９の上端にはフック５０が固定され、それに、前記細い棒２０が左へ運動する時前記移動ブロック４３を上昇させることができる。
【００１７】
以下、付図１−３及び上記の本願発明の車載用スマホケースの具体的な構造を参考してその使い方を詳しく説明する：
【００１８】
スマホを支持する必要がない時、位置制限撥条５２は通常状態で、スマホケース１０の後端面を水平状態にさせ、
支持する必要がある時、短いボード１３と長いボード１８を推し、細い棒２０を斜槽４１の中に入らせ、移動ブロック４３を推して上昇させ、それにより三角ブロック４５を推して上昇させ、回転棒１９を取り出し、フック５０によって係止溝１４を引掛け、この時、短いボード１３を推し、三角ブロック４５を連動させて異なる制限溝３３の中に入らせ、それによりスマホケース１０に対して異なる角度の支持を完成し、スマホケース１０が大きい圧力を受ける時、長いボード１８を上に押し動かし、三角ブロック４５を最上側の位置制限溝３３から離脱させ、長いボード１８が台形ブロック２６を短い溝２５の中から推し出し、緩衝撥条３１を復帰させて中空ブロック３０をはじき出し、スマホケース１０に一定な緩衝作用ができる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020178329.tif 000003
【図２】
2020178329.tif 000004
【図３】
2020178329.tif 000005
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
支持機能を有するスマホケースであって、スマホケースを含み、前記スマホケースの中には緩衝機構が設置されており、前記緩衝機構は台形ブロックと、短い溝と、中空ブロックと、スマホ溝と三本の圧縮された緩衝撥条を含み、前記スマホ溝の上端壁が外部に連通し、前記スマホ溝にスマホを置け、前記台形ブロックが前記短い溝に阻まれ、前記スマホ溝の下端壁の中には下端壁が外部に連通する活動溝が設置されており、前記活動溝の中には支持機構がスライドできるように設置されており、前記支持機構は短いボードと、長いボードと、係止溝と、フックと、細い棒と、制限溝と、三角ブロックと移動ブロックを含み、前記細い棒によって前記移動ブロックを上へ推して移動させることができ、それにより前記三角ブロックが前記制限溝に移動する時に前記制限溝の中に入れ、前記フックを回して前記係止溝に掛けられ、それにより前記短いボードと前記長いボードとの相対位置を維持させ、前記長いボードは前記三角ブロックが最上側の制限溝から離脱するまで右へ運動し、前記長いボードによって前記台形ブロックを前記短い溝から推し出すことができ、前記緩衝撥条を復帰させ、前記中空ブロックを外部に運動連動させ、前記支持機構が前記活動溝の中でスライドすることによって前記スマホケースの角度を変化させることができ、前記活動溝の中には前記短いボードと前記長いボードを復帰させる位置制限撥条が設置されており、
前記緩衝機構は中空ブロックを含み、前記スマホケースの下端面には緩衝溝が設置されており、前記緩衝溝の左端壁の中には活動溝が設置されており、前記活動溝と前記緩衝溝とが前記短い溝によって連通され、前記緩衝溝の中には中空ブロックがスライドできるように設置されており、前記中空ブロックの上端面には撥条溝が設置されており、前記撥条溝の下端壁には前記緩衝溝の上端壁と固定される三つの緩衝撥条が均一に固定され、前記中空ブロックの左端面には圧力溝が設置されており、前記圧力溝の右端壁には圧力撥条が固定され、前記圧力撥条の左端には左端が前記短い溝の中に位置する台形ブロックが固定され、それに、前記台形ブロックが前記短い溝から離脱する時、前記緩衝撥条が復帰して前記中空ブロックを推し出し、
前記支持機構は長いボードを含み、前記活動溝の上端壁には五つの前記制限溝が均一に設置されており、前記活動溝の中には活動ブロックがスライドできるように設置されており、前記活動ブロックの上端面には斜槽が設置されており、前記斜槽の左端壁には移動溝が設置されており、前記斜槽の右端壁と活動溝とが貫通溝を通じて連通し、前記移動溝の中には移動ブロックがスライドできるように設置されており、前記移動ブロックの上端には上端が前記移動溝の上端壁と固定的に連結される移動撥条が固定され、前記移動ブロックの右端面には右端が前記斜槽の中に位置する移動棒が固定され、前記移動棒の右端には移動ブロックが固定され、前記移動ブロックの上端面には弾性溝が設置されており、前記弾性溝の下端壁には弾性撥条が固定され、前記弾性撥条の上端には三角ブロックが固定され、前記活動ブロックの下端面には円柱棒が固定され、
前記円柱棒には環状ブロックが回転できるように設置されており、前記環状ブロックの下端には下端が外部に位置する短いボードが固定され、前記短いボードの上端面には係止ブロックが固定され、前記係止ブロックの中には係止溝が設置されており、前記短いボードの中には連動溝が設置されており、前記活動ブロックの上側には前記活動溝とスライドできるように連結される方形ブロックが設置されており、前記方形ブロックの左端面と前記活動ブロックの右端面とが位置制限撥条によって固定的に連結されており、前記方形ブロックの右端面には支持棒が固定され、前記支持棒には弓形ブロックが回転できるように設置されており、前記弓形ブロックの下端には下端が外部に位置する長いボードが固定され、前記長いボードの上端面には収納溝が設置されており、前記収納溝の後端壁には回転軸が回転できるように設置されており、前記回転軸には回転棒が固定され、前記回転棒の上端にはフックが固定され、それに、前記細い棒が左へ運動する時前記移動ブロックを上昇させることができることを特徴とする支持機能を有するスマホケース。